(57)【要約】【課題】フロントリテーナを損傷させることなく隣り合う端子同士の短絡を抑制する。【解決手段】本明細書によって開示されるコネクタは、雄コネクタ７０に嵌合される雌コネクタ１０であって、雌端子４０を後方から収容する端子収容部２５が複数並んで設けられた合成樹脂製の雌ハウジング２０と、雌ハウジング２０に組み付けられ、仮係止位置と本係止位置との間を前後に変位可能なフロントリテーナ６０と、端子収容部２５における左側の側壁２５Ｌに貫通して形成された仮係止用孔３３の縁部に設けられ、フロントリテーナ６０の仮係止部６８が係止することでフロントリテーナ６０を仮係止位置に保持する被仮係止部３１と、端子収容部２５における右側の側壁２５Ｒに貫通して形成された本係止用孔３２の縁部に設けられ、フロントリテーナ６０の本係止部６７が係止することでフロントリテーナ６０を本係止位置に保持する被本係止部６７とを備え、被仮係止部３１と被本係止部３０とは、前後にずれて配されている構成とした。【選択図】図２
2016131089.tif 000002
【特許請求の範囲】
【請求項１】
相手方コネクタに嵌合されるコネクタであって、
端子を後方から収容する端子収容部が複数並んで設けられた合成樹脂製のハウジングと、
前記ハウジングに前方から組み付けられ、仮係止位置と本係止位置との間を前後に変位可能なフロントリテーナと、
隣り合う前記端子収容部における互いに隣り合う側壁のうち一方の側壁に貫通して形成された仮係止用孔の縁部に設けられ、前記フロントリテーナに設けられた仮係止部が係止することで前記フロントリテーナを仮係止位置に保持する被仮係止部と、
前記隣り合う側壁のうち他方の側壁に貫通して形成された本係止用孔の縁部に設けられ、前記フロントリテーナに設けられた本係止部が係止することで前記フロントリテーナを本係止位置に保持する被本係止部とを備え、
前記被仮係止部と前記被本係止部とは、前後にずれて配されているコネクタ。
【請求項２】
前記フロントリテーナには、隣り合う前記端子収容部間に配される仕切り壁が設けられており、
前記仕切り壁における一方の面に前記仮係止部が設けられ、前記仕切り壁における他方の面に前記隣り合う側壁のうちの前記他方の側壁を乗り越えることで仮係止位置と本係止位置との間を変位する前記本係止部が設けられており、
前記他方の側壁が前記一方の側壁よりも前後方向に短く設定されることにより、前記被仮係止部が前記被本係止部よりも前方に配されている請求項１に記載のコネクタ。
【請求項３】
前記ハウジングは、複数の前記端子収容部を内部に収容する相手方コネクタと嵌合可能とされており、
前記仕切り壁の前端部には、前記相手方コネクタに突設された短絡防止突部が凹凸嵌合することで、隣り合う前記端子収容部の前端面間の沿面距離を長くする短絡防止凹部が設けられている請求項２に記載のコネクタ。
【発明の詳細な説明】
【技術分野】
【０００１】
本明細書によって開示される技術は、コネクタに関する。
【背景技術】
【０００２】
例えば、相手側コネクタに嵌合されるコネクタとして、特開平８−２２２３１２号公報（下記特許文献１）に記載のものが知られている。この雌コネクタは、合成樹脂製のハウジングと、ハウジングに後方から収容される雌形端子金具と、ハウジングに収容された雌形端子金具を抜け止めするリテーナとを備えており、ハウジングの前端部には、５本の突出部が間隔を空けて配されている。これらの突出部内には、雌形端子金具が後方から個別に挿入されるようになっており、突出部内に雌形端子金具が挿入されると、突出部に設けられたランスと雌形端子金具とが係止することで雌形端子金具が突出部内に抜け止めされる。また、突出部内への雌形端子金具の挿入後、５本の突出部に対してリテーナを前方から装着することで、リテーナに設けられた変形規制部がランスの逃げ変形領域内に進入し、雌形端子金具を二重に係止するようになっている。
【先行技術文献】
【特許文献】
【０００３】
【特許文献１】特開平８−２２２３１２号公報
【発明の概要】
【発明が解決しようとする課題】
【０００４】
ところで、一般に、リテーナをハウジングに組み付けた状態で端子金具を挿入可能にするには、端子金具が挿入可能な仮係止位置と端子金具を抜け止めする本係止位置との間を前後に変位可能なリテーナをハウジングに装着して構成する。このような構成の場合、リテーナを仮係止位置に保持する被仮係止部とリテーナを本係止位置に保持する被本係止部とを隣り合う突出部間の壁部に貫通させて形成し、これらの係止部にリテーナを係止させることで、リテーナを仮係止位置と本係止位置との間で前後に変位可能にしつつ、リテーナをハウジングに保持するする方法が考えられる。
【０００５】
しかしながら、被仮係止部と被本係止部との双方を突出部の前端部において壁部を貫通させて形成すると、リテーナによって各突出部を個別に仕切ったとしても端子収容部の前端部を経由した被仮係止部および被本係止部間の沿面距離が近くなってしまい、隣り合う端子収容部に収容される端子金具間に亘って金属片などの異物が侵入すると、端子金具同士が短絡する虞がある。
だからといって、被仮係止部と被本係止部との双方を端子収容部の後端部に配すると、端子金具間の絶縁に必要な沿面距離を確保することはできるものの、リテーナが仮係止位置から本係止位置に変位する際に、リテーナに突設された係止部と端子収容部との摺動距離が長くなり、係止部が摺動摩耗して損傷してしまう。
【０００６】
本明細書では、リテーナが摩耗することを抑制しつつ隣り合う端子金具同士の短絡を抑制する技術を開示する。
【課題を解決するための手段】
【０００７】
本明細書によって開示される技術は、相手方コネクタに嵌合されるコネクタであって、端子を後方から収容する端子収容部が複数並んで設けられた合成樹脂製のハウジングと、前記ハウジングに前方から組み付けられ、仮係止位置と本係止位置との間を前後に変位可能なフロントリテーナと、隣り合う前記端子収容部における互いに隣り合う側壁のうち一方の側壁に貫通して形成された仮係止用孔の縁部に設けられ、前記フロントリテーナに設けられた仮係止部が係止することで前記フロントリテーナを仮係止位置に保持する被仮係止部と、前記隣り合う側壁のうち他方の側壁に貫通して形成された本係止用孔の縁部に設けられ、前記フロントリテーナに設けられた本係止部が係止することで前記フロントリテーナを本係止位置に保持する被本係止部とを備え、前記被仮係止部と前記被本係止部とは、前後にずれて配されている構成とした。
【０００８】
このような構成のコネクタによると、被仮係止部と被本係止部とが前後にずれて配されているから、前後にずれた分だけ、仮係止用孔と本係止用孔との間における隣り合う端子間の沿面距離を長くすることができる。これにより、例えば、被仮係止部と被本係止部とが前後にずれていないものに比べて、ハウジング内に異物が侵入した場合においても、隣り合う端子同士が短絡することを抑制することができる。
【０００９】
本明細書によって開示されるコネクタは、以下の構成としてもよい。
前記フロントリテーナには、隣り合う前記端子収容部間に配される仕切り壁が設けられており、前記仕切り壁における一方の面に前記仮係止部が設けられ、前記仕切り壁における他方の面に前記隣り合う側壁のうちの前記他方の側壁を乗り越えることで仮係止位置と本係止位置との間を変位する前記本係止部が設けられており、前記他方の側壁が前記一方の側壁よりも前後方向に短く設定されることにより、前記被仮係止部が前記被本係止部よりも前方に配されている構成としてもよい。
このような構成によると、本係止部が乗り越える側壁が前後方向に短く設定させているから、例えば、隣り合う側壁のうちの他方の側壁が隣り合う側壁のうちの一方の側壁と前後方向に同じ位置や長く設定される場合に比べて、本係止部が他方の側壁と摺動する距離を短くでき、本係止部が摺動摩耗してしまうことを抑制することができる。
【００１０】
前記ハウジングは、複数の前記端子収容部を内部に収容する相手方コネクタと嵌合可能とされており、前記仕切り壁の前端部には、前記相手方コネクタに突設された短絡防止突部が凹凸嵌合することで、隣り合う前記端子収容部の前端面間の沿面距離を長くする短絡防止凹部が設けられている構成としてもよい。
このような構成によると、ハウジングと相手方コネクタとの間においても、隣り合う前記端子収容部の前端面間の沿面距離を長くすることができ、隣り合う端子同士が短絡することを抑制することができる。
【発明の効果】
【００１１】
本明細書によって開示される技術によれば、フロントリテーナを損傷させることなく隣り合う端子同士の短絡を抑制することができる。
【図面の簡単な説明】
【００１２】
【図１】コネクタの正面図
【図２】フロントリテーナが仮係止位置に配された状態の図１のＡ−Ａ線断面図
【図３】コネクタと相手方コネクタとが嵌合した状態の図２の断面に相当する断面図
【図４】フロントリテーナが仮係止位置に配された状態の図１のＢ−Ｂ線断面図
【図５】フロントリテーナが本係止位置に配された状態の図１のＢ−Ｂ線断面図
【図６】ハウジングの正面図
【図７】図６のＣ−Ｃ線断面図
【図８】図７の要部拡大図
【図９】図６のＤ−Ｄ線断面図
【図１０】図６のＥ−Ｅ線断面図
【図１１】フロントリテーナの正面図
【図１２】図１１のＦ−Ｆ線断面図
【図１３】図１１のＧ−Ｇ線断面図
【図１４】図１１のＨ−Ｈ線断面図
【発明を実施するための形態】
【００１３】
＜実施形態＞
実施形態について図１から図１４を参照して説明する。
本実施形態は、相手方コネクタである雄コネクタ７０に嵌合される雌コネクタ１０を例示している。なお、以下の説明において、上下方向とは、図１、図６および図１１における上下方向を基準とし、左右方向とは図１、図６および図１１における左右方向を基準とする。前後方向とは、図３における雄コネクタ７０と雌コネクタ１０との嵌合方向を基準として、互いに嵌合する側を前側として説明する。
【００１４】
雄コネクタ７０は、図３に示すように、一対の角ピン状の雄端子７１と、前方に開口する小フード部７３を有する雄ハウジング７２とを備えて構成されている。一対の雄端子７１は、小フード部７３の奥壁７３Ａから内部空間に向けて前方に突出した形態で雄ハウジング７２に左右に一対保持されており、小フード部７３の奥壁７３Ａにおける一対の雄端子７１の間には、前方に突出する短絡防止突部７４が形成されている。また、小フード部７３の左外側面には左方に突出するロック部７５が形成されている。
【００１５】
雌コネクタ１０は、合成樹脂製の雌ハウジング２０と、雌ハウジング２０に後方から収容される雌端子４０と、雌ハウジング２０に前方から装着される筒状のフロントリテーナ６０とを備えて構成されている。
雌ハウジング２０は、図１から図７、図９および図１０に示すように、一対の雌端子４０を収容するタワー部２１の外周を大フード部２２によって囲んだ形態をなしている。大フード部２２内には、雄ハウジング７２の小フード部７３が嵌合可能とされており、大フード部２２と小フード部７３とが嵌合されると、小フード部７３内にタワー部２１が嵌合されるようになっている。
【００１６】
大フード部２２の左側には、図１から図３、図６および図７に示すように、左右方向に弾性変位可能なロックアーム２３が形成されている。ロックアーム２３は、大フード部２２と小フード部７３との嵌合過程において、小フード部７３のロック部７５に乗り上げ、大フード部２２と小フード部７３とが正規の嵌合状態に至ると、ロック部７５と前後方向に係止することで、大フード部２２と小フード部７３とを嵌合状態にロックするようになっている。
【００１７】
タワー部２１は、図６、図７、図９および図１０に示すように、後端部が丸みを帯びた角筒状の角筒部２４とされており、角筒部２４よりも前方が左右に分かれた一対の端子収容部２５とされている。
角筒部２４の外周面には、ゴムリングＧ１が装着されており、小フード部７３内にタワー部２１が嵌合されると、図３に示すように、ゴムリングＧ１がタワー部２１と小フード部７３との間を止水するようになっている。
【００１８】
一対の端子収容部２５は、図７に示すように、隙間Ｓ１を隔てて左右に並んで配されている。各端子収容部２５は、前後に長い略角筒状に形成されており、図７、図９および図１０に示すように、端子収容部２５の前端から端子収容部２５の前後方向略中央部までの上半分が前方および左右に開口している。各端子収容部２５内には、端子収容部２５の前端からタワー部２１に亘って前後方向に延びるキャビティ２６が形成されており、キャビティ２６には、図３に示すように、後方から雌端子４０がそれぞれ挿入されるようになっている。
【００１９】
雌端子４０は、電線Ｗの端末と電線Ｗに外嵌されたゴム栓Ｇ２とに圧着されており、ゴム栓Ｇ２と共にキャビティ２６内に収容される。雌端子４０は、キャビティ２６における正規の挿入位置まで挿入されると、端子収容部２５内における前端部から後端部に亘って配され、端子収容部２５の後端内周面と電線Ｗとの間はゴム栓Ｇ２によってシールされる。
【００２０】
各端子収容部２５におけるキャビティ２６の天井壁２６Ａには、図４、図５、図９および図１０に示すように、斜め前下方に向かって片持ち状に延出されたランス２７が形成されている。ランス２７は、ランス２７の上方に設けられた撓み空間Ｓ２に向かって弾性変位可能とされており、雌端子４０がキャビティ２６の正規の挿入位置まで挿入されると、ランス２７と雌端子４０とが前後方向に係止することで、雌端子４０の後方への抜け止めが図られる。また、各端子収容部２５の前部における前端および左右の開口は、図３および図５に示すように、タワー部２１に装着されるフロントリテーナ６０によって塞がれるようになっている。
【００２１】
フロントリテーナ６０は、図３および図５に示すように、タワー部２１における一対の端子収容部２５を前方から覆うように装着され、図２および図４に示すように、フロントリテーナ６０が大フード部２２から前方に突出した仮係止位置と、図３および図５に示すように、フロントリテーナ６０が大フード部２２内に完全に収容された本係止位置との間を前後方向に変位可能な状態でタワー部２１に保持されるようになっている。
【００２２】
また、フロントリテーナ６０は、図３および図５に示すように、一対の端子収容部２５の外周を一括して覆う筒状部６１と、各端子収容部２５の前端上部を覆うリテーナ本体６２と、一対の端子収容部２５間に配される仕切り壁６３とを備えて構成されている。
筒状部６１は、図１１から図１４に示すように、丸みを帯びた略角筒状をなしており、筒状部６１は、フロントリテーナ６０が本係止位置に配されると、図５に示すように、筒状部６１の内周面に一対の端子収容部２５の外面が適合して配されると共に、筒状部６１がタワー部２１に装着されたゴムリングＧ１の抜け止めを図るようになっている。
【００２３】
リテーナ本体６２は、図１３に示すように、筒状部６１の前端部に一体に設けられており、前後方向にやや厚みのある前壁部６４と、前壁部６４から後方に延びる一対の撓み抑制部６５とを有している。前壁部６４は、フロントリテーナ６０が本係止位置に配されると、図５に示すように、前壁部６４の前端面が一対の端子収容部２５の前壁２５Ａにおける前端面と面一状態となるように構成されている。また、各端子収容部２５の前端部には、端子収容部２５の前壁２５Ａとフロントリテーナ６０の前壁部６４とによって構成される正面視略矩形状の端子挿入孔２８が前方に向かって開口した形態で形成されている（図１を参照）。
詳細には、端子挿入孔２８の下半分は、端子収容部２５によって構成され、端子挿入孔２８の上半分は、フロントリテーナ６０の前壁部６４によって構成されている。また、各端子挿入孔２８を構成する開口縁部の四辺には、端子収容部２５および前壁部６４の前端面から後方に向かうほど端子挿入孔２８の軸心に向かって傾斜するテーパ状の誘い込み部２８Ａが形成されている。
【００２４】
また、端子挿入孔２８には、小フード部７３内にタワー部２１が嵌合されると、図３に示すように、雄端子７１が端子挿入孔２８から端子収容部２５内にそれぞれ進入し、雄端子７１と雌端子４０とが電気的に接続されるようになっている。
【００２５】
前壁部６４における左右方向略中央部には、図１から図３に示すように、雄ハウジング７２の小フード部７３の奥壁７３Ａに設けられた短絡防止突部７４が適合して嵌合される短絡防止凹部６６が後方に凹んで形成されている。この短絡防止凹部６６内には、大フード部２２内に小フード部７３が嵌合された際に、短絡防止突部７４が嵌合され、小フード部７３の奥壁７３Ａと一対の端子収容部２５の前壁２５Ａとの間で雄端子７１同士が左右方向に一直線に並ばないようになっている。
つまり、仮に大フード部２２と小フード部７３との間に異物が侵入したとしても、小フード部７３の奥壁７３Ａと一対の端子収容部２５の前端面との間において雄端子７１同士が短絡することを抑制できるようになっている。
【００２６】
一対の撓み抑制部６５は、図５および図１３に示すように、前壁部６４から後方に延出された板状に形成されており、フロントリテーナ６０が本係止位置に配されると、端子収容部２５の前端上部を構成すると共にランス２７の撓み空間Ｓ２に前方から進入するようになっている。つまり、撓み抑制部６５により、端子収容部２５の前端上部の開口が塞がれると共に、ランス２７が撓み空間Ｓ２内に弾性変位することが抑制されて雌端子４０が二重係止されるようになっている。
【００２７】
仕切り壁６３は、図１２および図１４に示すように、一対の撓み抑制部６５の間において撓み抑制部６５と前壁部６４とに連なって形成されており、撓み抑制部６５よりも後方に延出された形態とされている。また、仕切り壁６３は、図２および図３に示すように、一対の端子収容部２５間の隙間Ｓ１の寸法よりも僅かに小さい厚み寸法の上下に延びる平板状に形成されており、フロントリテーナ６０がタワー部２１に装着されると、一対の端子収容部２５の間を仕切るようにして一対の端子収容部２５の間に配されるようになっている。
なお、仕切り壁６３の後端部における板厚寸法は、仕切り壁６３の前端部における板厚寸法の約半分程度の厚み寸法とされており、フロントリテーナ６０が本係止位置に配されると、仕切り壁６３の後端部が、タワー部２１の角筒部２４後部から前方に向かって延びる補助仕切り壁２４Ａと左右方向に重なることで、仕切り壁６３の前端部とほぼ同じ板厚寸法によって一対の端子収容部２５間を仕切るようになっている。
【００２８】
さて、一対の端子収容部２５における右側の側壁２５Ｒの前端部には、図２および図３に示すように、フロントリテーナ６０に設けられた本係止部６７が後方から係止する被本係止部３０がそれぞれ設けられており、一対の端子収容部２５における左側の側壁２５Ｌの前後方向略中央部には、フロントリテーナ６０に設けられた仮係止部６８が後方から係止する被仮係止部３１がそれぞれ設けられている。
【００２９】
被本係止部３０は、図２、図３、図７および図１０に示すように、端子収容部２５の下半分における右側の側壁２５Ｒを左右方向に貫通させて形成した本係止用孔３２の前端開口縁であって、本係止用孔３２が端子収容部２５の前壁２５Ａの位置よりもやや後方の位置から端子収容部２５の付け根部分である角筒部２４にまで亘って形成されることで、被本係止部３０は、端子収容部２５の前壁２５Ａの直後の位置に配されている。
【００３０】
被仮係止部３１は、図２、図３、図７および図９に示すように、端子収容部２５の下半分における左側の側壁２５Ｌを左右方向に貫通させて形成した仮係止用孔３３の前端開口縁であって、仮係止用孔３３が本係止用孔３２よりも後方の位置から端子収容部２５の付け根部分である角筒部２４にまで亘って形成されることで、被本係止部３０よりも後方ずれた位置に配されている。詳細には、図７に示すように、被仮係止部３１は、端子収容部２５の上半分が前後に開口した長さ寸法Ｌ１の約半分程度の長さ寸法Ｌ２分だけ、被本係止部３０よりも後方に配されている。
つまり、一対の端子収容部２５における互いに隣り合う側壁２５Ｒ，２５Ｌにおいて、右側の端子収容部２５の左側の側壁２５Ｌが、左側の端子収容部２５の右側の側壁２５Ｒに比べて、前後方向に長い（端子収容部２５の上半分が前後に開口した長さ寸法Ｌ１の約半分程度の長さ寸法Ｌ２分だけ）形態とされている（図７および図８を参照）。
【００３１】
一方、本係止部６７は、図２、図３および図１２に示すように、フロントリテーナ６０の筒状部６１における右側の内壁６１Ｒと仕切り壁６３の左側の側面６３Ｌとに突出して形成されており、本係止部６７の突出寸法は、端子収容部２５における側壁２５Ｒ，２５Ｌの厚さ寸法の半分程度の寸法とされている。また、本係止部６７は、フロントリテーナ６０が仮係止位置に配された状態では、図２に示すように、端子収容部２５の前壁２５Ａの直前の位置に配されており、フロントリテーナ６０が本係止位置に配された状態では、図３に示すように、被仮係止部３１の直後に配される。
したがって、本係止部６７は、仮係止位置では、端子収容部２５の前壁２５Ａに前方から係止することでフロントリテーナ６０が本係止位置に向かって変位しないように位置決めし、本係止位置では、被本係止部３０に後方から係止することでフロントリテーナ６０が仮係止位置に向かって変位しないように位置決めするようになっている。
【００３２】
また、本係止部６７の前端面および後端面は、本係止部６７の突出端面６７Ａにおける前後の長さ寸法が付け根の位置の長さ寸法よりも小さくなるように突出方向に傾斜した乗り上げ面６７Ｂとされている。フロントリテーナ６０を前後に変位させる際には、乗り上げ面６７Ｂが端子収容部２５の前壁２５Ａおよび被本係止部３０に乗り上げて本係止部６７が端子収容部２５における右側の側壁２５Ｒと摺動して乗り越えるようになっており、これにより、フロントリテーナ６０が仮係止位置と本係止位置との間を前後に変位できるようになっている。
【００３３】
仮係止部６８は、図２、図３および図１２に示すように、フロントリテーナ６０の筒状部６１における左側の内壁６１Ｌと仕切り壁６３の右側の側面６３Ｒとに突出して形成されており、仮係止部６８の突出寸法は、端子収容部２５における側壁２５Ｒ，２５Ｌの厚さ寸法の半分程度の寸法とされている。また、仮係止部６８の前面は、フロントリテーナ６０の組み付け方向と直交する係止面６８Ａとされており、フロントリテーナ６０が仮係止位置に配された状態では、図２に示すように、係止面６８Ａが被仮係止部３１に対して後方から係止することでフロントリテーナ６０を仮係止位置から前方に変位させないように位置決めするようになっている。
【００３４】
本実施形態は、以上のような構成であって、続いて、雌コネクタ１０の組み立て手順を説明すると共に、雌コネクタ１０の作用および効果について説明する。
まず、図２および図４に示すように、フロントリテーナ６０が仮係止部６８と本係止部６７とによって仮係止位置に位置決めされた雌ハウジング２０と、電線Ｗの端末に接続された雌端子４０とを準備し、雌ハウジング２０の各キャビティ２６内に後方から雌端子４０をそれぞれ挿入する。
雌端子４０がキャビティ２６内における正規の挿入位置に至ると、ランス２７と雌端子４０とが前後方向に係止することで、雌端子４０の後方への抜け止めが図られる。また、雌端子４０によって電線Ｗの端末に固定されたゴム栓Ｇ２によって端子収容部２５と電線Ｗとの間が止水される。
【００３５】
次に、仮係止位置に位置決めされたフロントリテーナ６０を後方に向かって変位させ、本係止位置に配置する。
この仮係止位置から本係止位置に変位させる過程では、本係止部６７の後側の乗り上げ面６７Ｂが端子収容部２５の前壁２５Ａにそれぞれ乗り上げ、本係止部６７が右側の側壁２５Ｒと摺動しつつ、フロントリテーナ６０が仮係止位置から本係止位置に変位する。
【００３６】
ここで、本係止部６７が端子収容部２５の右側の側壁２５Ｒと摺動することになるが、本係止部６７が右側の側壁２５Ｒと摺動する領域は、端子収容部２５の前壁２５Ａの厚さ寸法とほぼ同じであるため、例えば、端子収容部２５における右側の側壁２５Ｒが前後方向に長く構成される場合に比べて、本係止部６７が摺動摩耗して損傷することを抑制することができる。
そして、フロントリテーナ６０が本係止位置に配されると、撓み抑制部６５が端子収容部２５の前端上部の開口を塞ぐと共に、撓み抑制部６５がランスの撓み空間Ｓ２内に進入してランス２７の弾性変位が規制されることで雌端子４０が二重係止され、雌コネクタ１０が完成する。
【００３７】
次に、完成した雌コネクタ１０と雄コネクタ７０とを嵌合させる手順を説明する。
まず、雌コネクタ１０と雄コネクタ７０とを向かい合わせに配置して、両コネクタ１０，７０を近づけるようにして嵌合させる。
【００３８】
この嵌合過程では、大フード部２２と小フード部７３とが嵌合されるに伴って、小フード部７３内にタワー部２１が嵌合され、雄端子７１と雌端子４０とが電気的に接続されると共に、タワー部２１と小フード部７３との間がゴムリングＧ１によって止水される。また、大フード部２２と小フード部７３とが正規の嵌合状態に至ると、ロック部７５と前後方向に係止し、大フード部２２と小フード部７３とが嵌合状態にロックされる。
【００３９】
ところで、大フード部２２と小フード部７３との間に金属片などの異物が侵入した場合、異物によって一対の雄端子７１同士または一対の端子収容部２５内における雌端子４０同士が短絡することが懸念される。
ところが、本実施形態によると、一対の端子収容部２５のうち、右側の端子収容部２５の左側の側壁２５Ｌが、左側の端子収容部２５の右側の側壁２５Ｒに比べて、前後方向に長い形態となっている。つまり、一対の端子収容部２５の下半分における雌端子４０間の沿面経路が左右方向に一直線となっていないから、例えば、被仮係止部と被本係止部とを前後方向にずらすことなく配置し、雌端子４０間の短絡経路が左右方向に一直線となる場合に比べて、大フード部２２と小フード部７３との間に金属片などの異物が進入した場合においても、異物が侵入したことに起因して雌端子４０同士が短絡することを抑制することができる。
【００４０】
また、小フード部７３の奥壁７３Ａと一対の端子収容部２５の前壁２５Ａとの間においては、短絡防止凹部６６と短絡防止突部７４が前後方向に凹凸嵌合されることにより、雄端子７１同士が左右方向に一直線に並ばないから、例えば、短絡防止凹部および短絡防止突部を設けない場合に比べて、雄端子７１同士が短絡することを抑制できる。
【００４１】
以上のように、本実施形態によると、被仮係止部３１と被本係止部３０とを前後にずらして配しているから、被仮係止部３１と被本係止部３０と前後にずれた長さ分だけ、一対の端子収容部２５の下半分における雌端子４０間の沿面距離を大きくすることができ、隣り合う雌端子４０同士が短絡することを抑制することができる。
【００４２】
また、本実施形態では、小フード部７３の奥壁７３Ａと一対の端子収容部２５の前壁２５Ａとの間においても、短絡防止凹部６６と短絡防止突部７４とを前後方向に凹凸嵌合させることにより、凹凸嵌合した距離分だけ沿面距離が長くなっているから、隣り合う雄端子７１同士が短絡することを抑制することができる。
さらに、本実施形態によると、被本係止部３０を端子収容部２５の前後方向略中央部に設けて、被仮係止部３１を端子収容部２５の前端部（端子収容部２５の前壁２５Ａの直後）に設けているから、例えば、被仮係止部を前後方向において被本係止部３０と同じ位置に設ける場合に比べて、本係止部６７が端子収容部２５の右側の側壁２５Ｒと摺動する領域を短くすることができ、本係止部６７が摺動摩耗してしまうことを抑制することができる。
【００４３】
＜他の実施形態＞
本明細書で開示される技術は上記記述及び図面によって説明した実施形態に限定されるものではなく、例えば次のような種々の態様も含まれる。
（１）上記実施形態では、端子収容部２５の前端から端子収容部２５の前後方向略中央部までの上半分が前方および左右に開口する構成とした。しかしながら、これに限らず、端子収容部の上半分が閉じた構成にしてもよい。
（２）上記実施形態では、端子収容部２５が左右方向に一対並んだ構成とした。しかしながら、これに限らず、端子収容部が上下に並んだ構成でもよく、端子収容部が左右方向に３つ以上並んで構成されていてもよい。
（３）上記実施形態では、端子収容部２５の後端部がゴム栓Ｇ２によって止水され、小フード部７３とタワー部２１の角筒部２４との間がゴムリングＧ１によって止水された構成とした。しかしながら、これに限らず、非防水のコネクタに本明細書で開示した技術を適用してもよい。
【符号の説明】
【００４４】
１０：雌コネクタ（コネクタ）
２０：雌ハウジング（ハウジング）
２５：端子収容部
２５Ｌ：左側の側壁（一方の側壁）
２５Ｒ：右側の側壁（他方の側壁）
３０：被本係止部
３１：被仮係止部
３２：本係止用孔
３３：仮係止用孔
４０：雌端子（端子）
６０：フロントリテーナ
６３：仕切り壁
６６：短絡防止凹部
６７：本係止部
６８：仮係止部
７０：雄コネクタ（相手方コネクタ）
７２：雄ハウジング（相手方コネクタ）
７４：短絡防止突部
【図１】
2016131089.tif 000003
【図２】
2016131089.tif 000004
【図３】
2016131089.tif 000005
【図４】
2016131089.tif 000006
【図５】
2016131089.tif 000007
【図６】
2016131089.tif 000008
【図７】
2016131089.tif 000009
【図８】
2016131089.tif 000010
【図９】
2016131089.tif 000011
【図１０】
2016131089.tif 000012
【図１１】
2016131089.tif 000013
【図１２】
2016131089.tif 000014
【図１３】
2016131089.tif 000015
【図１４】
2016131089.tif 000016